(57)【要約】      （修正有）【課題】小体積で携行や保管に便利で、折り畳む時は、従来のミニスタンドの高さと同じであり、使用する時は、三つのスタンドを下へ湾曲するだけで全体の高さが倍にすることができるスタンド構造を提供する。【解決手段】上、下ケーシング１０、２０と雲台３０、二つの内スリーブ４０、５０、三つのスピンドル６０、底座７０及び三つのスタンド８０が備えられ、ソフトで弾性ある二つの内スリーブが、それぞれ上、下ケーシングのグルーブ内に嵌入され、二つの内スリーブの嵌合穴内に軸筒や樹枝或いは木の棒が挿設されることにより、上ケーシング１０を高くして、雲台に螺合されたカメラを高くすることができ、また、三つのスタンドが、スピンドルを枢着軸として折り畳まれると、上、下ケーシングの外側の三つの嵌合槽内に定位できる。【選択図】図４
0003140102.tif 000002
【実用新案登録請求の範囲】
【請求項１】
上方に自在継手が枢着され、外側の回りに三つの溝が設けられ、内部にグルーブが形成される上ケーシングと、上方に上ケーシングの内部まで伸ばしてグルーブの外縁に係止する突出リングが設けられ、外側の回りに三つの溝が設けられ、内部にグルーブが形成され、底部に三つの嵌合槽があり、その中心柱にネジ穴が形成され、該嵌合槽内に係止ブロックがある下ケーシングと、底部のスリーブが上ケーシングの自在継手に嵌設され、上方にカメラに螺合されるネジ棒がある雲台と、それぞれ上、下ケーシングのグルーブ内に挿設され、上に嵌合穴がある二つの内スリーブと、
それぞれ下ケーシングの嵌合槽内に挿入され、上に下ケーシングの係止ブロックが係止される湾曲状の係止槽が設けられる三つのスピンドルと、下ケーシングの嵌合槽上に嵌設され、上方の三つの凹孔にスピンドルが嵌合され、中心の貫通孔に下ケーシングのネジ穴に螺合されるネジが貫設される底座と、上方管体がスピンドルの一端に嵌設される三つのスタンドとが含有されてなるスタンドは、上ケーシングを開けて、上、下ケーシング内のスリーブの嵌合穴内に軸筒や樹枝等を挿設することにより、上ケーシングを高くすることができ、雲台上のカメラも高くなり、また、三つのスタンドはスピンドルを枢着軸として、上、下ケーシングの嵌合槽内に収納されることを特徴とする、カメラスタンドの構造。
【請求項２】
上ケーシングのグルーブの内壁に、少なくとも一つの突出があり、グルーブの外側に、少なくとも一つの突出ブロックがあることを特徴とする、請求項１に記載のカメラスタンドの構造。
【請求項３】
下ケーシングの突出リングの回りに、少なくとも一つのＬ状の凹槽があり、上ケーシングの突出ブロックが凹槽内に係合し、上ケーシングを回転することにより、上、下ケーシングが一体に結合されることを特徴とする、請求項１か２に記載のカメラスタンドの構造。
【請求項４】
下ケーシングのグルーブの内壁に、少なくとも一つの突出柱があることを特徴とする、請求項１に記載のカメラスタンドの構造。
【請求項５】
二つの内スリーブの嵌合穴が梅花状で、ソフト且つ弾性である構造であり、その外側にそれぞれ上、下ケーシングのグルーブ内の突出柱が嵌合される嵌合溝が設けられることを特徴とする、請求項１に記載のカメラスタンドの構造。
【請求項６】
三つのスピンドル上の係止槽が冂形状であり、中央が横槽で両側が縦槽であり、その一端の外側に二つの引手が設けられることを特徴とする、請求項１に記載のカメラスタンドの構造。
【請求項７】
三つのスタンドの下方管体内に内管が挿設され、該内管底部にパッドが設けられることを特徴とする、請求項１に記載のカメラスタンドの構造。
【考案の詳細な説明】
【技術分野】
【０００１】
本考案は、カメラスタンドの構造に関し、特に、軸筒や樹枝或いは木の棒等を利用して、スタンド本体を高くする装置に関する。
【背景技術】
【０００２】
一般の従来の小型（或いはミニ）カメラスタンドは、図１と２のように、主として、スタンド座１００、２００の下方に三つのスタンド１０１、２０１が結合され、スタンド座１００、２００自身が分離できないため、軸筒や樹枝等を利用してスタンド座を高くして、カメラを高くするができなく、また、三つのスタンド１０１、２０１自身が折り畳むことができないため、携行や保管に三つのスタンドが比較的に大きい空間を取り、該従来のスタンド全体の高さは三つのスタンドにより高くすることができず、非常に不便である。
【考案の開示】
【考案が解決しようとする課題】
【０００３】
本考案の主な目的は、上、下ケーシングからなるスタンド本体があり、その上、下ケーシングのグルーブ内に、それぞれソフトで弾性である内スリーブが嵌合され、上ケーシングが開かれると、上、下ケーシングの内スリーブの嵌合穴内に軸筒や樹枝或いは木の棒等の長方形のものを挿設でき、これにより上ケーシングが高くなり、雲台に螺合されたカメラも高くなり、また、カメラスタンドを収納する時、三つのスタンドのスピンドルを枢着軸として１８０度を回転すると、上、下ケーシングの嵌合槽内に収納して、上、下ケーシングのスタンド本体に未着して一体になり、これにより保管空間が大きく取らず、携行や保管に便利であるカメラスタンドの構造を提供する。
【０００４】
本考案の他の目的は、本考案を折り畳む時、全体の高さが従来のミニスタンドと同じ時、本考案の三つのスタンドを湾曲して起立するとスタンドの高さが倍になり、従来のスタンドにより便利的であるカメラスタンドの構造を提供する。
【課題を解決するための手段】
【０００５】
請求項１の考案は、上方に自在継手が枢着され、外側の回りに三つの溝が設けられ、内部にグルーブが形成される上ケーシングと、上方に上ケーシングの内部まで伸ばしてグルーブの外縁に係止する突出リングが設けられ、外側の回りに三つの溝が設けられ、内部にグルーブが形成され、底部に三つの嵌合槽があり、その中心柱にネジ穴が形成され、該嵌合槽内に係止ブロックがある下ケーシングと、底部のスリーブが上ケーシングの自在継手に嵌設され、上方にカメラに螺合されるネジ棒がある雲台と、それぞれ上、下ケーシングのグルーブ内に挿設され、上に嵌合穴がある二つの内スリーブと、それぞれ下ケーシングの嵌合槽内に挿入され、上に下ケーシングの係止ブロックが係止される湾曲状の係止槽が設けられる三つのスピンドルと、下ケーシングの嵌合槽上に嵌設され、上方の三つの凹孔にスピンドルが嵌合され、中心の貫通孔に下ケーシングのネジ穴に螺合されるネジが貫設される底座と、上方管体がスピンドルの一端に嵌設される三つのスタンドとが含有されてなるスタンドは、上ケーシングを開けて、上、下ケーシング内のスリーブの嵌合穴内に軸筒や樹枝等を挿設することにより、上ケーシングを高くすることができ、雲台上のカメラも高くなり、また、三つのスタンドはスピンドルを枢着軸として、上、下ケーシングの嵌合槽内に収納されることを特徴とする、カメラスタンドの構造である。
【０００６】
請求項２の考案は、上ケーシングのグルーブの内壁に少なくとも一つの突出があり、グルーブの外側に少なくとも一つの突出ブロックがあることを特徴とする、請求項１に記載のカメラスタンドの構造である。
【０００７】
請求項３の考案は、下ケーシングの突出リングの回りに、少なくとも一つのＬ状の凹槽があり、上ケーシングの突出ブロックが凹槽内に係合し、上ケーシングを回転することにより、上、下ケーシングが一体に結合されることを特徴とする、請求項１か２に記載のカメラスタンドの構造である。
【０００８】
請求項４の考案は、下ケーシングのグルーブの内壁に少なくとも一つの突出柱があることを特徴とする、請求項１に記載のカメラスタンドの構造である。
【０００９】
請求項５の考案は、二つの内スリーブの嵌合穴が梅花状で、ソフト且つ弾性である構造であり、その外側にそれぞれ、上、下ケーシングのグルーブ内の突出柱が嵌合される嵌合溝が設けられることを特徴とする、請求項１に記載のカメラスタンドの構造である。
【００１０】
請求項６の考案は、三つのスピンドル上の係止槽が冂形状であり、中央が横槽で両側が縦槽であり、その一端の外側に二つの引手が設けられることを特徴とする、請求項１に記載のカメラスタンドの構造である。
【００１１】
請求項７の考案は、三つのスタンドの下方管体内に内管が挿設され、該内管底部にパッドが設けられることを特徴とする、請求項１に記載のカメラスタンドの構造である。
【考案を実施するための最良の形態】
【００１２】
図３と４を参照しながら、本考案は、上、下ケーシング１０、２０と雲台３０、二つの内スリーブ４０、５０、三つのスピンドル６０、底座７０、三つのスタンド８０及び三つの内管９０からなり、上ケーシング１０は、上方に自在継手１１が枢着され、外側の回りに三つの縦方向の溝槽１２が設けられ、内部に下方の一側が開口されたグルーブ１３（図４−１のように）があり、梅花状であるグルーブ１３の内壁に少なくとも一つの突出柱１３１があり、グルーブ１３の外側に少なくとも一つの突出ブロック１４が設けられる。
【００１３】
下ケーシング２０は、上ケーシング１０の形状と類似し、上方に上ケーシング１０のグルーブ１３の外縁まで伸ばす突出リング２１があり、該突出リング２１の回りに少なくとも一つのＬ状の凹槽２１１があり、上ケーシング１０の突出ブロック１４が凹槽２１１内に係合して、上ケーシング１０を回転すると、上、下ケーシング１０、２０が一体に結合され、下ケーシング２０の外側の回りにも上ケーシング１０の溝槽１２と結合できる三つの縦方向溝槽２２が設けられ、下ケーシング２０の内部に上方の位置側が開口されたグルーブ２３があり、該梅花状であるグルーブ２３の内壁に少なくとも一つの突出柱２３１（図４−２のように）があり、下ケーシング２０は底部に互いに連通する三つの嵌合槽２４があり、三つの嵌合槽２４の中心柱にネジ穴２５があり、各嵌合槽２４の外側が縦方向溝槽２２に連通し、内縁にそれぞれ係止ブロック２６がある（図４−３のように）。
【００１４】
雲台３０は、底部に上ケーシング１０の自在継手１１に嵌設される（図７のように）スリーブ３１があり、雲台３０を引っ張って、球状である自在継手１１に沿って角度を変化でき、雲台３０の上方にネジ棒３２があり、ネジ棒３２にパッド３３が嵌設されたカメラ底部のネジ穴内に螺合される。
【００１５】
二つの内スリーブ４０、５０はソフトで弾性あるスリーブであり、その一側に開口された嵌合穴５１が梅花状であり、その外側に縦方向に嵌合溝４２、５２があり、内スリーブ４０、５０が、それぞれ上、下ケーシング１０、２０のグルーブ１３、２３内に挿設されると、該嵌合溝４２、５２に、それぞれグルーブ１３、２３内の突出柱１３１、２３１が嵌合される。
【００１６】
三つのスピンドル６０は、外形がＬ状で、その一端が、それぞれ下ケーシング２０の嵌合槽２４内に挿入され、図４−４と図４−５のように、スピンドル６０上に下ケーシング２０の係止ブロック２６が係止される冂形に湾曲された係止槽６１があり、該係止槽６１の中央が横槽６１１で両側が縦槽６１２であり、スピンドル６０のもう一端の外側に二つの引手６２がある。
【００１７】
底座７０は下ケーシング２０の嵌合槽２４上に嵌設され、その上方にある三つの凹孔７１がスピンドル６０に嵌合し、中心の貫通孔７２にネジ７３が貫設され、該ネジ７３が下ケーシング２０のネジ穴２５内に螺合される。
【００１８】
三つのスタンド８０は中空のスリーブであり、その上方管体がスピンドル６０のもう一端に嵌設され、その下方管体内に内管９０が貫設され、内管９０の底部にパッド９１があり、内管９０がスタンド８０内に収納される。
【００１９】
図５を参照視ながらユーザーが撮影する時、樹枝や木の棒或いは軸筒Ａを利用して、例えば、軸筒Ａの一端を上ケーシング１０の内スリーブ４０内に挿入して、一端を下ケーシング２０の内スリーブ５０内に挿入することにより、簡単に雲台３０を高くして、雲台３０上にあるカメラを高くする。
【００２０】
また、図６と図７を参照しながら、スタンド８０を折り畳んで上、下ケーシング１０、２０の溝槽１２、２２内に収納する時の概念図であり、図７−１のように、ユーザーがスタンド８０を引出して起立させる時、スピンドル６０の引手６２を引き出すことだけにより、スピンドル６０を引っ張ると、下ケーシング２０の係止ブロック２６が、スピンドル６０の縦槽６１２から横槽６１１に移動させ、スピンドル６０が上向きから１８０度に回転して下向きになり、図７−２のように、この時スピンドル６０を押すと、下ケーシング２０の係止ブロック２６が縦槽６１２内に係止されて定位される。
【００２１】
本考案に係わるカメラスタンドの構造は、上、下ケーシングをスタンドの本体とし、折り畳んで収納する時、そのスタンドが上、下ケーシングの溝槽内に収納されて定位され、使用する時、スタンドはスピンドルを１８０度に回転して下向きに指せることにより、起立させることができ、また、カメラを高くする時、上ケーシングを開いて、軸筒や樹枝等の物を上、下ケーシングの内スリーブ内に挿設して、スタンド本体がユーザーの必要に応じて高さを任意に調整できる。
【図面の簡単な説明】
【００２２】
【図１】従来の製品の外観図
【図２】他の従来製品の外観図
【図３】本考案の外観図
【図４】本考案の分解図
【図４−１】本考案の上ケーシングの上面図
【図４−２】本考案の下ケーシングの上面図
【図４−３】本考案の下ケーシングの下面構造概念図
【図４−４】本考案のスピンドルの外観概念図
【図４−５】本考案のスピンドルの他の外観概念図
【図５】本考案の高くした時の実施例図
【図６】本考案の折り畳んだ時の外観図
【図７】本考案の折り畳んだ時の断面図
【図７−１】本考案の図７の断面動作概念図
【図７−２】本考案の図７の他の断面動作概念図
【符号の説明】
【００２３】
１０        上ケーシング
１１        自在継手
１２        溝槽
１３        グルーブ
１３１      突出柱
１４        突出ブロック
２０        下ケーシング
２１        突出リング
２１１      凹槽
２２        溝槽
２３        グルーブ
２３１      突出柱
２４        嵌合槽
２５        ネジ穴
２６        係止ブロック
３０        雲台
３１        スリーブ
３２        ネジ棒
３３        パッド
４０        内スリーブ
５０        内スリーブ
５１        嵌合穴
４２        嵌合溝
５２        嵌合溝
６０        スピンドル
６１        係止槽
６１１      横槽
６１２      縦槽
６２        引手
７０        底座
７１        凹孔
７２        貫通孔
７３        ネジ
８０        スタンド
９０        内管
９１        パッド
Ａ          軸筒
【図１】
0003140102.tif 000003
【図２】
0003140102.tif 000004
【図３】
0003140102.tif 000005
【図４】
0003140102.tif 000006
【図４−１】
0003140102.tif 000007
【図４−２】
0003140102.tif 000008
【図４−３】
0003140102.tif 000009
【図４−４】
0003140102.tif 000010
【図４−５】
0003140102.tif 000011
【図５】
0003140102.tif 000012
【図６】
0003140102.tif 000013
【図７】
0003140102.tif 000014
【図７−１】
0003140102.tif 000015
【図７−２】
0003140102.tif 000016